(57)【要約】【課題】新設基地局装置に対してトラッキングエリアを自動設定することができる基地局装置及びユーザ装置並びにトラッキングエリア設定方法を提供する。【解決手段】ユーザ装置が、自ユーザ装置が在圏するエリアをカバーする既存基地局装置の属するトラッキングエリアの識別子を通知する移動通信システムであって、ユーザ装置により通知されたトラッキングエリアの識別子に基づいて、そのトラッキングエリアの識別子を、トラッキングエリア毎に集計する統計処理手段と、統計処理手段により集計された集計値が最大となるトラッキングエリアを自基地局装置に割り当てるトラッキングエリア選択処理手段とを備えることにより達成される。【選択図】図２
2008193364.tif 000002
【特許請求の範囲】
【請求項１】
ユーザ装置は、自ユーザ装置が在圏するエリアをカバーする既存基地局装置の属するトラッキングエリアの識別子を通知し、
ユーザ装置により通知されたトラッキングエリアの識別子に基づいて、そのトラッキングエリアの識別子を、トラッキングエリア毎に集計する統計処理手段；
前記統計処理手段により集計された集計値が最大となるトラッキングエリアを自基地局装置に割り当てるトラッキングエリア選択処理手段；
を備えることを特徴とする基地局装置。
【請求項２】
ユーザ装置は、自ユーザ装置が在圏するセルの識別子及び／又は在圏するセルの周辺のセルの識別子と、自ユーザ装置が在圏するセルから送信されるパイロットチャネルの受信品質及び／又は自ユーザ装置が在圏するセルの周辺のセルから送信されるパイロットチャネルの受信品質を通知し、
前記ユーザ装置から通知された前記受信品質に対して所定の統計処理を行う統計処理手段；
前記統計処理の結果に基づいて、自基地局装置に割り当てるトラッキングエリアを決定するトラッキングエリア選択処理手段；
前記トラッキングエリア選択処理手段により決定されたトラッキングエリアを設定するトラッキングエリア設定手段；
を備えることを特徴とする基地局装置。
【請求項３】
請求項２に記載の基地局装置において：
前記統計処理手段は、既存基地局装置毎に、各ユーザ装置から通知された受信品質の平均値を求めることを特徴とする基地局装置。
【請求項４】
請求項２に記載の基地局装置において：
前記統計処理手段は、既存基地局装置毎に、各ユーザ装置から通知された受信品質の累積密度分布を求め、該累積密度分布に基づいて、予め決定された所定のパーセント値を求めることを特徴とする基地局装置。
【請求項５】
請求項３に記載の基地局装置において：
前記トラッキングエリア選択処理手段は、前記統計処理の結果に基づいて、受信品質の平均値が最大となる既存基地局装置の属するトラッキングエリアを自基地局装置に割り当てることを特徴とする基地局装置。
【請求項６】
請求項４に記載の基地局装置において：
前記トラッキングエリア選択処理手段は、前記統計処理の結果に基づいて、パーセント値が最大となる既存基地局装置の属するトラッキングエリアを自基地局装置に割り当てることを特徴とする基地局装置。
【請求項７】
請求項３又は４に記載の基地局装置において：
前記統計処理手段は、予め決定された所定の閾値以上の受信品質に対して、前記所定の統計処理を行うことを特徴とする基地局装置。
【請求項８】
請求項２ないし７のいずれか１項に記載の基地局装置において：
上位局は、トラッキングエリアと、該トラッキングエリアを構成する基地局装置との対応を示すテーブル；
を備え、
前記トラッキングエリア選択処理手段は、前記統計処理の結果に基づいて、自基地局装置に割り当てるトラッキングエリアを構成する既存基地局装置を求め、該既存基地局装置が属するトラッキングエリアを、前記上位局に問い合わせることを特徴とする基地局装置。
【請求項９】
既存基地局装置は、自既存基地局装置のカバーするセルに在圏するユーザ装置に送信するパイロットチャネルの受信品質及び／又は自既存基地局装置のカバーするセルの周辺のセルから送信されるパイロットチャネルの受信品質を測定させ、それらの測定値と、在圏するセルのセルＩＤ及び／又は在圏するセルの周辺のセルのセルＩＤとを、新設基地局装置に報告させる測定報告指示信号を送信し、
前記測定報告指示信号に基づいて、在圏する既存基地局装置が送信するパイロットチャネルの受信品質及び／又は前記在圏する既存基地局装置のカバーするセルの周辺のセルから送信されるパイロットチャネルの受信品質を測定する受信品質測定手段；
前記在圏するセルのセルＩＤ及び／又は前記在圏するセルの周辺のセルのセルＩＤと、前記測定値とを前記新設基地局装置に通知する通知手段；
を備えることを特徴とするユーザ装置。
【請求項１０】
ユーザ装置が、自ユーザ装置が在圏するエリアをカバーする既存基地局装置の識別子及び前記既存基地局装置から送信されるパイロットチャネルの受信品質を通知する通知ステップ；
基地局装置が、前記ユーザ装置から通知された前記受信品質に対して所定の統計処理を行う統計処理ステップ；
前記基地局装置が、前記統計処理の結果に基づいて、自基地局装置に割り当てるトラッキングエリアを決定するトラッキングエリア選択処理ステップ；
前記基地局装置が、前記トラッキングエリア選択処理手段により決定されたトラッキングエリアを設定するトラッキングエリア設定ステップ；
を備えることを特徴とするトラッキングエリア設定方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に基地局装置及びユーザ装置並びにトラッキングエリア設定方法に関する。
【背景技術】
【０００２】
Ｗ−ＣＤＭＡやＨＳＤＰＡ（総称ＵＭＴＳ）の後継となる通信方式、すなわちＬＴＥ（Ｌｏｎｇ  Ｔｅｒｍ  Ｅｖｏｌｕｔｉｏｎ）が、ＵＭＴＳの標準化団体３ＧＰＰにより検討され、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＵＭＴＳでは、新規セルが導入される場合には、シミュレーションツールやリンクバジェット（例えば、非特許文献２参照）などを用いて設置場所、アンテナや無線のパラメータなどが机上検討される。これらの検討結果に基づいて新設基地局装置が建設される。実運用に先駆け、新設基地局装置は仮運用され、パイロットチャネルが送信される。運用者は電波測定用装置でその新設基地局装置から送信される電波を測定し、無線パラメータを調整する。上記電波測定用装置は、専用車両に搭載されて、運用者が測定対象エリアの道路を上記専用車両で周回することで、測定データが取得される。
【０００４】
また、移動通信ネットワークでは、待ち受け（ＩＤＬＥ）中のユーザ装置の位置は、トラッキングエリア（Ｔｒａｃｋｉｎｇ  Ａｒｅａ）という単位でネットワークに記憶される。トラッキングエリアとは、ＵＭＴＳにおけるロケーションエリア（ＬＡ：  Ｌｏｃａｔｉｏｎ  Ａｒｅａ）又はルーティングエリア（ＲＡ：  Ｒｏｕｔｉｎｇ  Ａｒｅａ）に相当し、１又は複数のセルにより構成される。
【０００５】
ＵＭＴＳでは、新規セルが導入される場合には、その導入される地域の人口分布などに基づいてトラッキングエリアアップデートの頻度などが推定され、トラッキングエリアが机上検討される。
【非特許文献１】3GPP TR 25.814 (V7.0.0), "Physical Layer Aspects for Evolved UTRA," June 2006
【非特許文献２】立川敬二、「Ｗ−ＣＤＭＡ移動通信方式」、丸善株式会社、ｐｐ．１９７−１９９、  ２００１
【非特許文献３】3GPP R2-061929 June 2006
【発明の開示】
【発明が解決しようとする課題】
【０００６】
しかしながら、上述した背景技術には以下の問題がある。
【０００７】
従来のような新設基地局の設計、運用、特にアンテナや無線の諸パラメータやトラッキングエリアの最適化には、机上検討や電波伝搬測定に多大な労力を要していた。この労力を軽減するために、３ＧＰＰでは、ＬＴＥシステムの基地局装置を新たに設置する場合には、その新設基地局装置とネットワークとをケーブルで接続し、電源をオンにすることにより、自動設定が行われるようにすることが提案されている（非特許文献３参照）。特に今後の通信の需要に応えて、ホームユースの基地局装置など、小型基地局装置が大量に設置される状況を想定すると、このような自動設定機能が実現されることが望ましい。
【０００８】
しかし、この提案は、コンセプトベースであり、具体的な基地局装置およびユーザ装置の構成などについては提案されていない。
【０００９】
基地局装置を新たに設置する場合には、その新設基地局装置から送信される電波の各地点での受信品質に基づいて、無線パラメータを設定する必要がある。
【００１０】
また、新規セルが導入される場合には、その新規セルが属するトラッキングエリアを自動設定する必要がある。
【００１１】
そこで本発明は、上述した問題点の少なくとも１つを解決するためになされたものであり、その目的は、新設基地局装置に対してトラッキングエリアを自動設定することができる基地局装置及びユーザ装置並びにトラッキングエリア設定方法を提供することにある。
【課題を解決するための手段】
【００１２】
上記課題を解決するため、本発明の基地局装置は、
ユーザ装置は、自ユーザ装置が在圏するエリアをカバーする既存基地局装置の属するトラッキングエリアの識別子を通知し、
ユーザ装置により通知されたトラッキングエリアの識別子に基づいて、そのトラッキングエリアの識別子を、トラッキングエリア毎に集計する統計処理手段；
前記統計処理手段により集計された集計値が最大となるトラッキングエリアを自基地局装置に割り当てるトラッキングエリア選択処理手段；
を備えることを特徴の１つとする。
【００１３】
このように構成することにより、新設基地局装置は、ユーザ装置から通知された在圏するエリアをカバーする既存基地局装置の属するトラッキングエリアの識別子に基づいて、自新設基地局装置に割り当てるトラッキングエリアを設定できる。
【００１４】
本発明の他の基地局装置は、
ユーザ装置は、自ユーザ装置が在圏するセルの識別子及び／又は在圏するセルの周辺のセルの識別子と、自ユーザ装置が在圏するセルから送信されるパイロットチャネルの受信品質及び／又は自ユーザ装置が在圏するセルの周辺のセルから送信されるパイロットチャネルの受信品質を通知し、
前記ユーザ装置から通知された前記受信品質に対して所定の統計処理を行う統計処理手段；
前記統計処理の結果に基づいて、自基地局装置に割り当てるトラッキングエリアを決定するトラッキングエリア選択処理手段；
前記トラッキングエリア選択処理手段により決定されたトラッキングエリアを設定するトラッキングエリア設定手段；
を備えることを特徴の１つとする。
【００１５】
このように構成することにより、新設基地局装置は、ユーザ装置から通知された在圏するエリアをカバーする既存基地局装置の識別子及びパイロットチャネルの受信品質に基づいて、自新設基地局装置に割り当てるトラッキングエリアを設定できる。
【００１６】
本発明のユーザ装置は、
既存基地局装置は、自既存基地局装置のカバーするセルに在圏するユーザ装置に送信するパイロットチャネルの受信品質及び／又は自既存基地局装置のカバーするセルの周辺のセルから送信されるパイロットチャネルの受信品質を測定させ、それらの測定値と、在圏するセルのセルＩＤ及び／又は在圏するセルの周辺のセルのセルＩＤとを、新設基地局装置に報告させる測定報告指示信号を送信し、
前記測定報告指示信号に基づいて、在圏する既存基地局装置が送信するパイロットチャネルの受信品質及び／又は前記在圏する既存基地局装置のカバーするセルの周辺のセルから送信されるパイロットチャネルの受信品質を測定する受信品質測定手段；
前記在圏するセルのセルＩＤ及び／又は前記在圏するセルの周辺のセルのセルＩＤと、前記測定値とを前記新設基地局装置に通知する通知手段；
を備えることを特徴とするユーザ装置。
【００１７】
このように構成することにより、既存基地局装置から通知された測定報告指示信号に基づいて、在圏する既存基地局装置が送信するパイロットチャネルの受信品質及び／又は前記在圏する既存基地局装置のカバーするセルの周辺のセルから送信されるパイロットチャネルの受信品質を測定し、在圏するセルのセルＩＤ及び／又は前記在圏するセルの周辺のセルのセルＩＤとともに新設基地局装置に通知できる。
【００１８】
本発明のトラッキングエリア設定方法は、
ユーザ装置が、自ユーザ装置が在圏するエリアをカバーする既存基地局装置の識別子及び前記既存基地局装置から送信されるパイロットチャネルの受信品質を通知する通知ステップ；
基地局装置が、前記ユーザ装置から通知された前記受信品質に対して所定の統計処理を行う統計処理ステップ；
前記基地局装置が、前記統計処理の結果に基づいて、自基地局装置に割り当てるトラッキングエリアを決定するトラッキングエリア選択処理ステップ；
前記基地局装置が、前記トラッキングエリア選択処理手段により決定されたトラッキングエリアを設定するトラッキングエリア設定ステップ；
を備えることを特徴の１つとする。
【００１９】
このようにすることにより、新設基地局装置は、ユーザ装置から通知された在圏するエリアをカバーする既存基地局装置の識別子及び前記既存基地局装置から送信されるパイロットチャネルの受信品質に基づいて、自新設基地局装置に割り当てるトラッキングエリアを設定できる。
【発明の効果】
【００２０】
本発明の実施例によれば、新設基地局装置に対してトラッキングエリアを自動設定することができる基地局装置及びユーザ装置並びにトラッキングエリア設定方法を実現できる。
【発明を実施するための最良の形態】
【００２１】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２２】
本発明の実施例に係る移動通信システムについて、図１を参照して説明する。
【００２３】
移動通信システムは、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。
【００２４】
移動通信システムは、基地局装置（ｅＮＢ：  ｅＮｏｄｅ  Ｂ）２００ｍ（ｍは、ｍ＞１の整数）と、ユーザ装置（ＵＥ：  Ｕｓｅｒ  Ｅｑｕｉｐｍｅｎｔ）１００ｎ（ｎは、ｎ＞０の整数）とを備える。図１には、一例として、基地局装置２００１、２００２、２００３及び２００４、及びユーザ装置１００１、１００２、１００３及び１００４が示される。本実施例においては、基地局装置２００１、２００２及び２００３がすでに設置され、これらの基地局装置の近傍に基地局装置２００４が新たに設置される場合について説明する。以下、適宜、基地局装置２００１、２００２及び２００３を既存基地局装置と呼び、基地局装置２００４を新設基地局装置と呼ぶ。
【００２５】
基地局装置２００１、２００２、２００３及び２００４がカバーするセルをそれぞれセル２０２１、２０２２、２０２３及び２０２４と呼ぶ。本実施例においては、一例として、セル２０２１及び２０２２によりトラッキングエリア２０４１が構成され、セル２０２３によりトラッキングエリア２０４２が構成される場合について説明するが、トラッキングエリアを構成するセルについては適宜変更可能である。図１では、セル２０２３とトラッキングエリア２０４２とが重なるため、トラッキングエリア２０４２のみが示されている。
【００２６】
アクセスゲートウェイ装置（ａＧＷ：  ａｃｃｅｓｓ  Ｇａｔｅｗａｙ）３００は、例えばコアネットワーク５００に備えられる。アクセスゲートウェイ装置３００は、トラッキングエリアと、そのトラッキングエリアを構成するセル（基地局装置）との対応を示すテーブル（以下、トラッキングエリア−セルマッピングテーブルと呼ぶ。）を保持する。このアクセスゲートウェイ装置３００は、コアネットワーク５００以外のネットワークに備えられるようにしてもよい。このアクセスゲートウェイ装置３００を制御プレーン（Ｃ−ｐｌａｎｅ）及びユーザープレーン（Ｕ−ｐｌａｎｅ）の論理エンティティに分け、ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）とする場合もある。また、コアネットワーク５００には、ホームロケーションレジスタ（ＨＬＲ：  Ｈｏｍｅ  Ｌｏｃａｔｉｏｎ  Ｒｅｇｉｓｔｅｒ）４００が備えられる。ホームロケーションレジスタには、各ユーザ装置１００ｎを管理するアクセスゲートウェイ装置の識別子が保持される。
【００２７】
本実施例に係る基地局装置２００について、図２を参照して説明する。
【００２８】
本実施例に係る基地局装置２００は、新たに設置され、運用開始前の状態であるプリオペレーション状態である場合には、プリオペレーション状態であることを示す情報、例えばプリオペレーション状態であることを示すインジケータを報知する。
【００２９】
プリオペレーション状態とは、運用開始前の基地局装置の状態をいう。新設基地局装置としての基地局装置２００４は、例えば、ネットワークとケーブルで接続された後、電源がオンされる。そして、例えばＩＰ網に接続される場合にはＩＰアドレスの決定、サーバの検知、認証処理、上位ノードとのアソシエーション、ソフトウェアの起動などが行われる。これらが行われた後、新設基地局装置はリファレンス  シンボル（ｒｅｆｅｒｅｎｃｅ  ｓｙｍｂｏｌ）（パイロット信号）、同期チャネル（ｓｙｎｃｈｒｏｎｉｓａｔｉｏｎ  ｃｈａｎｎｅｌ）、必要最小限の報知情報などを送信してよいが、ユーザに対してはまだ通信サービスの提供はできない。しかし、ユーザ装置１００ｎからのメジャーメントレポート（ｍｅａｓｕｒｅｍｅｎｔ  ｒｅｐｏｒｔ）の受信は可能である。この場合、新設基地局装置とユーザ装置との間には個別チャネルが設定される。この状態をプリオペレーション状態と呼ぶ。従って、このプリオペレーション状態では、ユーザ装置１００ｎはそのセルでの待ち受け及びそのセルに対するアクセスはできない。
【００３０】
また、本実施例に係る基地局装置２００は、稼働状態で運用中である場合に、自基地局装置の周辺に新設基地局装置が設置され、その新設基地局装置にトラッキングエリアを割り当てる場合には、自基地局装置のカバーするセルに在圏するユーザ装置に、自基地局装置が送信するパイロットチャネルの受信品質と、自基地局装置のカバーするセルの周辺のセル、言い換えれば自基地局装置の周辺に設置された基地局装置から送信されるパイロットチャネルの受信品質とを測定させ、それらの測定値と、在圏するセルのセルＩＤ（在圏するエリアをカバーする基地局装置の基地局装置ＩＤ）と在圏するセルの周辺のセルのセルＩＤ（在圏するセルの周辺のセルをカバーする基地局装置の基地局装置ＩＤ）とともに、新設基地局装置に報告させる測定報告指示信号を、自基地局装置がカバーするエリアに在圏するユーザ装置１００ｎに送信する。
【００３１】
基地局装置２００は、送受信アンテナ２０６と、送受共用部２０８と、送信ＲＦ部２１０と、報知チャネル作成部２１２と、状態設定部２１４と、受信ＲＦ部２１６と、ＲＲＣプロトコル処理部２１８と、統計処理部２２０と、トラッキングエリア選択処理部２２２と、ネットワークインターフェース２２４とを備える。
【００３２】
状態設定部２１４では、自基地局装置２００の状態、例えば運用状態、プリオペレーション状態であることが設定される。例えば、自基地局装置２００が新設基地局装置である場合にはプリオペレーション状態であることが設定される。この場合、状態設定部２１４は、プリオペレーション状態であることを示すインジケータを設定し、該プリオペレーション状態であることを示すインジケータを報知チャネル作成部２１２に入力する。
【００３３】
報知チャネル作成部２１２は、状態設定部２１４により入力されたプリオペレーション状態であることを示すインジケータ、例えば１ビットを含む報知チャネルを作成し、送信ＲＦ部２１０及び送受共用部２０８を介して送信する。
【００３４】
また、報知チャネル作成部２１２には、新設基地局装置が設置され、自基地局装置２００のカバーするセルに在圏するユーザ装置に、自基地局装置２００が送信するパイロットチャネルの受信品質と、自基地局装置２００がカバーするセルの周辺のセルから送信されるパイロットチャネルの受信品質とを測定させ、それらの測定値を、在圏するセルのセルＩＤと在圏するセルの周辺に位置するセルのセルＩＤとともに、新設基地局装置に報告させる場合には、測定報告指示が入力される。報知チャネル作成部２１２は、入力された測定報告指示に基づいて、測定報告指示信号を作成し、送信ＲＦ部２１０及び送受共用部２０８を介して送信する。
【００３５】
その結果、各ユーザ装置１００ｎは、在圏するセルから送信されるパイロットチャネルの受信品質と在圏するセルの周辺に位置するセルから送信されるパイロットチャネルの受信品質とを測定する。そして、各ユーザ装置１００ｎは、在圏するセルのセルＩＤと在圏するセルから送信されるパイロットチャネルの受信品質及び在圏するセルの周辺に位置するセルのセルＩＤと在圏するセルの周辺に位置するセルから送信されるパイロットチャネルの受信品質とを、メジャーメントレポート（ｍｅａｓｕｒｅｍｅｎｔ  ｒｅｐｏｒｔ）として送信する。以下、在圏するセルのセルＩＤと在圏するセルの周辺に位置するセルのセルＩＤとを既存セルのセルＩＤと呼び、在圏するセルから送信されるパイロットチャネルの受信品質及び在圏するセルの周辺に位置するセルから送信されるパイロットチャネルの受信品質を既存セルの受信品質と呼ぶ。
【００３６】
各ユーザ装置１００ｎから送信されたメジャーメントレポートは、送受信アンテナ２０６及び送受共用部２０８を介して、受信ＲＦ部２１６により受信され、ＲＲＣプロトコル処理部２１８に入力される。
【００３７】
ＲＲＣプロトコル処理部２１８は、入力されたメジャーメントレポートに含まれる既存セルの受信品質をＲＲＣプロトコルにより、既存セルのセルＩＤとともに統計処理部２２０に入力する。
【００３８】
統計処理部２２０は、入力された既存セルの受信品質を用いて統計処理を行う。例えば、統計処理部２１２は、既存セル毎に、入力された既存セルの受信品質の平均値を求める。この平均値を求める際に、入力された全ての受信品質を用いて平均値を求めるようにしてもよいし、予め決定される所定の閾値以上の受信品質を用いて平均値を求めるようにしてもよい。
【００３９】
また、統計処理部２１２は、既存セル毎に、入力された既存セルの受信品質の累積密度分布（ＣＤＦ：  Ｃｕｍｕｌａｔｉｖｅ  Ｄｉｓｔｒｉｂｕｔｉｏｎ  Ｆｕｎｃｔｉｏｎ）を取得し、図３に示すように、受信品質の予め決定された所定のパーセント値、例えばＸパーセント値を求め、その値を演算処理の結果としてもよい。この累積密度分布を求める際に、入力された全ての受信品質を用いて累積密度分布を求めるようにしてもよいし、予め決定される所定の閾値以上の受信品質を用いて累積密度分布を求めるようにしてもよい。統計処理部２１２は、演算処理の結果を、既存セルのセルＩＤとともに、例えば既存セルのセルＩＤと対応付けて、トラッキングエリア選択処理部２２２に入力する。
【００４０】
トラッキングエリア選択処理部２２２は、入力された演算処理の結果に基づいて、自新設基地局装置２００４に設定するトラッキングエリアを選択する。例えば、トラッキングエリア選択処理部２２２は、既存セル毎の平均値又はパーセント値を比較し、最大の平均値又はパーセント値に対応する既存セルを選択する。そして、トラッキングエリア選択処理部２２２は、最大の平均値又はパーセント値に対応する既存セルが属するトラッキングエリアを問い合わせるためのトラッキングエリア要求信号を、ネットワークインターフェース２２４を介して、アクセスゲートウェイ装置３００に送信する。トラッキングエリア要求信号には、最大の平均値又はパーセント値に対応する既存セルのセルＩＤが含まれる。上述したように、アクセスゲートウェイ装置３００には、トラッキングエリア−セルマッピングテーブルが保持されている。アクセスゲートウェイ装置３００は、新設基地局装置２００４から通知されたトラッキングエリア要求信号に含まれるセルＩＤに基づいて、その最大の平均値又はパーセント値に対応する既存セルが属するトラッキングエリアを特定し、そのトラッキングエリアのトラッキングエリアＩＤを新設基地局装置２００４に通知する。
【００４１】
トラッキングエリア選択処理部２２２は、通知されたトラッキングエリアを報知チャネル作成部２１２に入力する。報知チャネル作成部２１２は、入力されたトラッキングエリアを設定する。
【００４２】
また、トラッキングエリア選択処理部２２２は、入力されたメジャーメントレポートに含まれる既存セルのセルＩＤを含むトラッキングエリア要求信号をアクセスゲートウェイ装置３００に送信し、既存セルの属するトラッキングエリアを問い合わせるようにしてもよい。そして、トラッキングエリア選択処理部２２２は、トラッキングエリア毎に各ユーザ装置１００ｎにより報告された既存セルの数を集計し、既存セルが属するトラッキングエリアのうち、集計値が最も多いトラッキングエリアを特定し、そのトラッキングエリアを新設基地局装置に割り当てるようにしてもよい。
【００４３】
自基地局装置にトラッキングエリアが設定されると、トラッキングエリア選択処理部２２２は、ネットワークインターフェース２２４を介して、設定されたトラッキングエリアを示す情報を自基地局装置のセルのセルＩＤとともにアクセスゲートウェイ装置３００に通知する。アクセスゲートウェイ装置３００は、通知されたトラッキングエリアを示す情報とセルＩＤとに基づいて、トラッキングエリア−セルマッピングテーブルを更新する。
【００４４】
また、基地局装置からトラッキングエリア要求信号が、アクセスゲートウェイ装置３００に送信される場合に、そのトラッキングエリア要求信号に、最大の平均値又はパーセント値に対応する既存セルのセルＩＤに加え、自基地局装置のセルＩＤが含まれるようにするようにしてもよい。そして、アクセスゲートウェイ装置３００は、トラッキングエリアＩＤを新設基地局装置に通知するとともに、トラッキングエリア要求信号に含まれる自基地局装置のセルＩＤと通知したトラッキングエリアＩＤとに基づいて、トラッキングエリア−セルマッピングテーブルを更新するようにしてもよい。
【００４５】
次に、本実施例に係るユーザ装置１００ｎについて、図４を参照して説明する。
【００４６】
本実施例に係るユーザ装置１００ｎは、基地局装置２００により報知された測定報告指示信号を受信した場合に、在圏するセルから送信されるパイロットチャネルの受信品質と在圏するセルの周辺に位置するセルから送信されるパイロットチャネルの受信品質とを測定する。そして、ユーザ装置１００ｎは、既存セルのセルＩＤと既存セルの受信品質とをメジャーメントレポート（ｍｅａｓｕｒｅｍｅｎｔ  ｒｅｐｏｒｔ）として、新設基地局装置に送信する。この場合、新設基地局装置と各ユーザ装置との間には、個別チャネルが設定される。
【００４７】
ユーザ装置１００ｎは、セルサーチ部１０２と、報知チャネル受信部１０４と、制御部１０６と、受信品質測定部１０８と、通知部１１０と、セル選択部１１２とを備える。
【００４８】
セルサーチ部１０２は、所定の周期、例えば２００ｍｓ毎にセルサーチを行い、セル検出を行う。セルサーチ部１０２は、新たなセルを検出した場合、受信した同期チャネルに基づいて、報知チャネルの送信帯域を検出し、報知チャネル受信部１０４に入力する。また、新設基地局装置にメジャーメントレポートを送信する場合に、新設基地局装置との間に個別チャネルを設定する。
【００４９】
報知チャネル受信部１０４は、セルサーチ部１０２により入力された報知チャネルの送信帯域に基づいて、報知チャネルを受信し、報知情報を制御部１０６に入力する。
【００５０】
制御部１０６は、報知チャネル受信部１０４により入力された報知情報に測定報告指示信号が含まれるか否かを判断する。
【００５１】
制御部１０６は、その報知情報に測定報告指示信号が含まれると判断した場合、受信品質測定部１０８に既存セルの受信品質、例えばＳＩＲを測定するように命令する。制御部１０６は、受信品質測定部１０８により測定された既存セルの受信品質を、既存セルのセルＩＤとともに、例えば既存セルのセルＩＤと対応付けて、通知部１１０に入力する。通知部１１０は、入力された既存セルのセルＩＤ及び既存セルの受信品質を新設基地局装置に通知する。
【００５２】
次に、本実施例にかかる移動通信システムの動作について、図５を参照して説明する。
【００５３】
新設基地局装置が設置され、その新設基地局装置にトラッキングエリアを設定する場合に、該新設基地局装置の周辺に位置する稼働状態で運用中である基地局装置から、測定報告指示信号が在圏するユーザ装置に対して送信される。測定報告指示信号とは、上述したように、ユーザ装置に、在圏するセルから送信されるパイロットチャネルの受信品質と在圏するセルの周辺に位置するセルから送信されるパイロットチャネルの受信品質とを測定させ、それらの測定値と在圏するセルのセルＩＤと在圏するセルの周辺に位置するセルのセルＩＤとともに、新設基地局装置に報告させる処理を行わせるための信号である。
【００５４】
各ユーザ装置１００１、１００２、１００３及び１００４は、報知チャネル受信部１０４において、各ユーザ装置が在圏するセルをカバーする基地局装置から送信された測定報告指示信号を受信する（ステップＳ５０２、Ｓ５０４、Ｓ５０６及びＳ５０８）。
【００５５】
次に、各ユーザ装置１００１、１００２、１００３及び１００４は、受信品質測定部１０８において、既存セル、すなわち在圏するセルから送信されるパイロットチャネルの受信品質及び在圏するセルの周辺に位置するセルから送信されるパイロットチャネルの受信品質を測定する（ステップＳ５１０、Ｓ５１２、Ｓ５１４及びＳ５１６）。
【００５６】
次に、各ユーザ装置１００１、１００２、１００３及び１００４は、セルサーチ部１０２において、新設基地局装置との間に個別チャネルを設定し、通知部１１０は、在圏するセルのセルＩＤと在圏するセルから送信されるパイロットチャネルの受信品質及び在圏するセルの周辺に位置するセルのセルＩＤと在圏するセルの周辺に位置するセルから送信されるパイロットチャネルの受信品質とを、メジャーメントレポートとして送信する（ステップＳ５１８、Ｓ５２０、Ｓ５２２及びＳ５２４）。
【００５７】
次に、新設基地局装置２００４は、受信ＲＦ部２１６において、各ユーザ装置１００１、１００２、１００３及び１００４から送信されたメジャーメントレポートを受信する（ステップＳ５２６）。
【００５８】
次に、新設基地局装置２００４は、統計処理部２２０において、メジャーメントレポートに含まれる既存セルのセルＩＤ、既存セルの受信品質に基づいて演算処理を行う（ステップＳ５２８）。例えば、統計処理部２１２は、入力された既存セルの受信品質の平均値を、既存セル毎に求める。
【００５９】
次に、新設基地局装置２００４は、トラッキングエリア選択処理部２２２において、統計処理の結果に基づいて、自新設基地局装置２００４に設定するトラッキングエリアを選択する。例えば、トラッキングエリア選択処理部２２２は、既存セル毎の平均値を比較し、最大の平均値に対応するセルを選択する（ステップＳ５３０）。
【００６０】
そして、トラッキングエリア選択処理部２２２は、選択されたセルに対応するトラッキングエリアを問い合わせるためのトラッキングエリア要求信号を、ネットワークインターフェース２２４を介して、アクセスゲートウェイ装置３００に送信する（ステップＳ５３２）。
【００６１】
アクセスゲートウェイ装置３００は、トラッキングエリアＩＤを含むトラッキングエリア要求応答を新設基地局装置２００４に送信する（ステップＳ５３４）。
【００６２】
新設基地局装置２００４は、トラッキングエリア選択処理部２２２において、トラッキングエリア要求応答が受信される（ステップＳ５３６）。トラッキングエリア選択処理部２２２は、そのトラッキングエリア要求応答に含まれるトラッキングエリアＩＤを、報知チャネル作成部２１２に入力する。
【００６３】
次に、新設基地局装置２００４は、報知チャネル作成部２１２において、トラッキングエリアＩＤを設定する（ステップＳ５３８）。例えば、報知チャネルの設定を行う。
【００６４】
次に、新設基地局装置２００４は、トラッキングエリア選択処理部２２２において、ネットワークインターフェース２２４を介して、セルＩＤとトラッキングエリアＩＤとをアクセスゲートウェイ装置３００に送信する（ステップＳ５４０）。
【００６５】
アクセスゲートウェイ装置３００は、ステップＳ５４０において送信されたセルＩＤとトラッキングエリアＩＤに基づいて、トラッキングエリア−セルマッピングテーブルを更新する（ステップＳ５４２）。
【００６６】
次に、本発明の実施例に係る他の移動通信システムについて説明する。
【００６７】
本実施例にかかる移動通信システムでは、ユーザ装置１００ｎは、メジャーメントレポートに自ユーザ装置が在圏するトラッキングエリアＩＤを含めて新設基地局装置に送信する。
【００６８】
新設基地局装置では、受信したメジャーメントレポートに基づいて、トラッキングエリア毎に統計処理を行い、トラッキングエリアを選択する。
【００６９】
本実施例に係る移動通信システム、基地局装置２００ｍ及びユーザ装置１００ｎの構成は、図１、図２及び図４を参照して説明した構成と同様であるため、その説明を省略する。
【００７０】
ユーザ装置１００ｎの通知部１１０は、既存セルのセルＩＤと既存セルの受信品質に加え、在圏するセルが属するトラッキングエリアのトラッキングエリアＩＤをメジャーメントレポートとして、新設基地局装置に送信する。
【００７１】
基地局装置（新設基地局装置）の統計処理部２２０は、入力された既存セルの受信品質を用いて統計処理を行う。例えば、統計処理部２１２は、トラッキングエリア毎に、入力された既存セルの受信品質の平均値を求める。この平均値を求める際に、入力された全ての受信品質を用いて平均値を求めるようにしてもよいし、予め決定される所定の閾値以上の受信品質について平均値を求めるようにしてもよい。
【００７２】
また、統計処理部２１２は、トラッキングエリア毎に、入力された既存セルの受信品質の累積密度分布（ＣＤＦ：  Ｃｕｍｕｌａｔｉｖｅ  Ｄｉｓｔｒｉｂｕｔｉｏｎ  Ｆｕｎｃｔｉｏｎ）を取得し、取得した累積密度分布に基づいて、受信品質の予め決定された所定のパーセント値、例えばＸパーセント値を求め、その値を統計処理の結果としてもよい。この累積密度分布を求める際に、入力された全ての受信品質を用いて累積密度分布を求めるようにしてもよいし、予め決定される所定の閾値以上の受信品質について累積密度分布を求めるようにしてもよい。統計処理部２１２は、統計処理の結果を、トラッキングエリア選択処理部２２２に入力する。
【００７３】
トラッキングエリア選択処理部２２２は、入力された統計処理の結果に基づいて、自新設基地局装置２００４に設定するトラッキングエリアを選択する。例えば、トラッキングエリア選択処理部２２２は、トラッキングエリア毎の平均値又はパーセント値を比較し、最大の平均値又はパーセント値に対応するトラッキングエリアを選択する。トラッキングエリア選択処理部２２２は、選択されたトラッキングエリアを報知チャネル作成部２１２に入力する。報知チャネル作成部２１２は、入力されたトラッキングエリアを設定する。
【００７４】
また、トラッキングエリア選択処理部２２２は、入力されたメジャーメントレポートに含まれるトラッキングエリアＩＤを、トラッキングエリア毎に集計し、集計値が最も多いトラッキングエリアを特定し、そのトラッキングエリアを自新設基地局装置に割り当てるようにしてもよい。
【００７５】
自新設基地局装置にトラッキングエリアが設定されると、トラッキングエリア選択処理部２２２は、ネットワークインターフェース２２４を介して、設定されたトラッキングエリアを示す情報を自新設基地局装置のセルのセルＩＤとともにアクセスゲートウェイ装置３００に通知する。アクセスゲートウェイ装置３００は、通知されたトラッキングエリアを示す情報とセルＩＤとに基づいて、トラッキングエリア−セルマッピングテーブルを更新する。
【００７６】
次に、本実施例にかかる移動通信システムの動作について、図６を参照して説明する。
【００７７】
新設基地局装置が設置され、その新設基地局装置にトラッキングエリアを設定する場合に、該新設基地局装置の周辺に位置する稼働状態で運用中である基地局装置から、測定報告指示信号が在圏するユーザ装置１００ｎに対して送信される。測定報告指示信号とは、上述したように、ユーザ装置に、在圏する既存セルから送信されるパイロットチャネルの受信品質と在圏する既存セルの周辺に位置する既存セルから送信されるパイロットチャネルの受信品質とを測定させ、それらの測定値を在圏する既存セルのセルＩＤと在圏する既存セルの周辺に位置する既存セルのセルＩＤとこれら既存セルの属するトラッキングエリアのトラッキングエリアＩＤともに、新設基地局装置に報告させる処理を行わせるための信号である。
【００７８】
各ユーザ装置１００１、１００２、１００３及び１００４は、報知チャネル受信部１０４において、各ユーザ装置が在圏する既存セルをカバーする基地局装置から送信された測定報告指示信号を受信する（ステップＳ６０２、Ｓ６０４、Ｓ６０６及びＳ６０８）。
【００７９】
次に、各ユーザ装置１００１、１００２、１００３及び１００４は、受信品質測定部１０８において、既存セル、すなわち在圏する既存セルから送信されるパイロットチャネルの受信品質及び在圏する既存セルの周辺に位置する既存セルから送信されるパイロットチャネルの受信品質を測定する（ステップＳ６１０、Ｓ６１２、Ｓ６１４及びＳ６１６）。
【００８０】
次に、各ユーザ装置１００１、１００２、１００３及び１００４はセルサーチ部１０２において、新設基地局装置との間に個別チャネルを設定し、通知部１１０は、在圏する既存セルのセルＩＤと在圏する既存セルから送信されるパイロットチャネルの受信品質及び在圏する既存セルの周辺に位置する既存セルのセルＩＤと在圏する既存セルの周辺に位置する既存セルから送信されるパイロットチャネルの受信品質と、これら既存セルの属するトラッキングエリアのトラッキングエリアＩＤとを、メジャーメントレポートとして送信する（ステップＳ６１８、Ｓ６２０、Ｓ６２２及びＳ６２４）。例えば、既存セルのセルＩＤと既存セルから送信されるパイロットチャネルの受信品質とが対応付けられ、また、既存セルのセルＩＤとトラッキングエリアＩＤとが対応付けられる。
【００８１】
次に、新設基地局装置２００４は、受信ＲＦ部２１６において、各ユーザ装置１００１、１００２、１００３及び１００４から送信されたメジャーメントレポートを受信する（ステップＳ６２６）。
【００８２】
次に、新設基地局装置２００４は、統計処理部２２０において、メジャーメントレポートに含まれるトラッキングエリアＩＤと、既存セルの受信品質とに基づいて演算処理を行う（ステップＳ６２８）。例えば、統計処理部２１２は、トラッキングエリア毎に入力された既存セルの受信品質の平均値を求める。この平均値を求める際に、入力された全ての受信品質を用いて平均値を求めるようにしてもよいし、予め決定される所定の閾値以上の受信品質について平均値を求めるようにしてもよい。
【００８３】
次に、新設基地局装置２００４は、トラッキングエリア選択処理部２２２において、演算処理の結果に基づいて、自新設基地局装置２００４に設定するトラッキングエリアを選択する。例えば、トラッキングエリア選択処理部２２２は、トラッキングエリア毎に受信品質の平均値を比較し、最大の平均値に対応するトラッキングエリアを選択する（ステップＳ６３０）。
【００８４】
そして、トラッキングエリア選択処理部２２２は、選択されたトラッキングエリアＩＤを、報知チャネル作成部２１２に入力する。
【００８５】
次に、新設基地局装置２００４は、報知チャネル作成部２１２において、トラッキングエリアＩＤを設定する（ステップＳ６３２）。例えば、報知チャネルの設定を行う。
【００８６】
次に、新設基地局装置２００４は、トラッキングエリア選択処理部２２２において、ネットワークインターフェース２２４を介して、セルＩＤとトラッキングエリアＩＤとをアクセスゲートウェイ装置３００に送信する（ステップＳ６３４）。
【００８７】
アクセスゲートウェイ装置３００は、ステップＳ６３４において送信されたセルＩＤとトラッキングエリアＩＤに基づいて、トラッキングエリア−セルマッピングテーブルを更新する（ステップＳ６３６）。
【００８８】
本実施例によれば、ユーザ装置から、在圏するセルの属するトラッキングエリアを報告させることにより、新設基地局装置において、トラッキングエリアまで判断できる。
【００８９】
上述した実施例においては、ユーザ装置から、在圏するセルのセルＩＤと在圏するセルから送信されるパイロットチャネルの受信品質及び在圏するセルの周辺に位置するセルのセルＩＤと在圏するセルの周辺に位置するセルから送信されるパイロットチャネルの受信品質を、新設基地局装置に通知させる場合について説明した。しかし、ユーザ装置から、在圏するセルのセルＩＤと在圏するセルから送信されるパイロットチャネルの受信品質又は在圏するセルの周辺に位置するセルのセルＩＤと在圏するセルの周辺に位置するセルから送信されるパイロットチャネルの受信品質を、新設基地局装置に通知させるようにしてもよい。
【００９０】
また、上述した実施例においては、ユーザ装置に、在圏する既存セルから送信されるパイロットチャネルの受信品質と在圏する既存セルの周辺に位置する既存セルから送信されるパイロットチャネルの受信品質と、在圏する既存セルのセルＩＤと在圏する既存セルの周辺に位置する既存セルのセルＩＤとを、既存セルの属するトラッキングエリアのトラッキングエリアＩＤともに、新設基地局装置に報告させる場合について説明したが、ユーザ装置に、既存セルの属するトラッキングエリアのトラッキングエリアＩＤ（識別子）のみを通知させるようにしてもよい。この場合、新設基地局装置では、統計処理部２２０において、ユーザ装置により通知されたトラッキングエリアの識別子に基づいて、そのトラッキングエリアの識別子の数が、トラッキングエリア毎に集計される。そして、トラッキングエリア選択処理部２２２において、集計された集計値が最大となるトラッキングエリアが自基地局装置に割り当てられる。
【００９１】
上述した実施例においては、ユーザ装置から既存セルのセルＩＤを報告させる場合について説明したが、既存セルのセルＩＤの代わりに既存セルの同期チャネルのパターン又はスクランブリングコードのＩＤを通知するようにしてもよい。このようにすることにより、新設基地局装置は同期チャネルの受信により、既存基地局装置を検知できる。すなわち、報知チャネルを受信する前に、既存基地局装置を検知できる。
【００９２】
また、ユーザ装置は、既存基地局装置に新規セルのセルＩＤ及び／又は新規セルのスクランブリングコードのＩＤを通知するようにしてもよい。また、新規セルの受信品質を通知するようにしてもよい。この場合、予め決定される所定の閾値以上の受信品質が得られた場合のみ通知するようにしてもよい。
【図面の簡単な説明】
【００９３】
【図１】本発明の一実施例に係る移動通信システムの一例を示す説明図である。
【図２】本発明の一実施例に係る基地局装置を示す部分ブロック図である。
【図３】受信品質の累積密度分布を示す説明図である。
【図４】本発明の一実施例に係るユーザ装置を示す部分ブロック図である。
【図５】本発明の一実施例にかかる移動通信システムの動作を示すフロー図である。
【図６】本発明の一実施例にかかる移動通信システムの動作を示すフロー図である。
【符号の説明】
【００９４】
１００、１００１、１００２、１００３、１００４  ユーザ装置
１０２  セルサーチ部
１０４  報知チャネル受信部
１０６  制御部
１０８  受信品質測定部
１１０  通知部
２００、２００１、２００２、２００３、２００４  基地局装置
２０２、２０２１、２０２２、２０２３、２０２４  セル
２０４、２０４１、２０４２  トラッキングエリア
２０６  送受信アンテナ
２０８  送受共用器
２１０  送信ＲＦ部
２１２  報知チャネル作成部
２１４  状態設定部
２１６  受信ＲＦ部
２１８  ＲＲＣプロトコル処理部
２２０  統計処理部
２２２  トラッキングエリア選択処理部
２２４  ネットワークインターフェース
３００  アクセスゲートウェイ（ａＧＷ：  ａｃｃｅｓｓ  Ｇａｔｅｗａｙ）
４００  ホームロケーションレジスタ（ＨＬＲ：  Ｈｏｍｅ  Ｌｏｃａｔｉｏｎ  Ｒｅｇｉｓｔｅｒ）
５００  コアネットワーク
【図１】
2008193364.tif 000003
【図２】
2008193364.tif 000004
【図３】
2008193364.tif 000005
【図４】
2008193364.tif 000006
【図５】
2008193364.tif 000007
【図６】
2008193364.tif 000008